【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
液体消費装置に液体を供給する液体収容容器であって、
前記液体消費装置と連通する液体導出口、及び前記液体収容容器に液体を注入可能に形成された注入口、を備えた液体収容体と、
前記注入口が形成された側に摺動可能に搭載される副保持部材と、
前記副保持部材に着脱可能に構成され、記憶部を備えた記憶部保持部材と、
を備える、液体収容容器。
【請求項２】
前記液体収容体は、
前記液体消費装置に装着された状態において、
前記液体消費装置外に位置する第１部位と、
前記液体消費装置内に位置する第２部位と、
を備える、請求項１に記載の液体収容容器。
【請求項３】
前記注入口は、前記第１部位に形成されており、
前記副保持部材は前記注入口を覆う、
請求項２に記載の液体収容容器。
【請求項４】
前記注入口を覆う状態で備えられた前記副保持部材には、前記注入口を覆う閉蓋位置と前記注入口を露出させる開蓋位置との間で変位可能な開閉カバーが備えられていることを特徴とする請求項３に記載の液体収容容器。
【請求項５】
前記液体収容体は、前記第１部位から前記第２部位へ向かう方向を長手方向とする形状を有し、
前記開閉カバーは、前記注入口を覆う状態で前記注入口よりも前記第２部位側となる位置において、前記液体収容体の短手方向に沿って延びる軸線が回転中心となるように前記副保持部材に回動自在に軸支され、当該軸支された側とは反対側が起き上がった後に前記第２部位側に向かって倒れるように回転することによって、前記閉蓋位置から前記開蓋位置に変位することを特徴とする請求項４に記載の液体収容容器。
【請求項６】
前記副保持部材には、前記開閉カバーと係合することによって、当該開閉カバーを前記閉蓋位置に位置決めするとともに、前記開閉カバーに対して回転負荷を生じさせることによって前記閉蓋位置から開蓋位置への変位を抑制する係合部が設けられていることを特徴とする請求項４または５に記載の液体収容容器。
【請求項７】
前記記憶部保持部材には、前記副保持部材の前記移動部位が前記液体消費装置内に移動した際、前記液体消費装置内において当該記憶部保持部材が前記移動部位の移動方向と交差する方向で位置決めされる位置決め形状部が設けられていることを特徴とする請求項２ないし６のいずれか一項に記載の液体収容容器。
【請求項８】
前記記憶部保持部材は、前記副保持部材に対して当該副保持部材の前記液体収容体に対する摺動方向と直交する方向から挿入されて前記副保持部材に備えられ、
前記記憶部が設けられた回路基板は、前記副保持部材の前記摺動方向に対して傾斜した状態で前記記憶部保持部材に載置されることを特徴とする請求項２ないし７のいずれか一項に記載の液体収容容器。
【請求項９】
前記液体消費装置に前記液体収容容器が装着され、且つ前記液体消費装置と前記記憶部が電気的に接続されている状態において、
前記記憶部は、前記液体収容容器の装着方向側に位置し、
前記注入口は、前記記憶部の反対側に位置する、
請求項１乃至８のいずれか１項に記載の液体収容容器。
【請求項１０】
前記副保持部材は、
前記液体収容容器が前記液体消費装置に装着され、かつ前記副保持部材が前記液体収容容器に搭載された状態において、
前記液体消費装置外に位置する部分と、前記液体消費装置内に位置する部分と、から構成される請求項１乃至９のいずれか１項に記載の液体収容容器。
【請求項１１】
請求項１乃至１０のいずれか１項に記載された液体収容容器が搭載された液体消費装置。
【請求項１２】
プリンターの液体噴射ヘッドへ供給する当該液体を収容するとともに、前記プリンターとは別体で形成された液体収容体を備え、当該液体収容体に前記液体を注入するための注入口が設けられている液体収容容器であって、
前記液体収容体は、
前記プリンターに装着された状態において、前記プリンター外に位置する第１部位と前記プリンター内に位置する第２部位とを有し、
前記注入口は前記第１部位に形成されていることを特徴とする液体収容容器。
【請求項１３】
前記液体収容体に対して摺動可能であって、摺動に伴い前記プリンター内と前記プリンター外とを移動する移動部位を有する副保持部材を備え、
前記副保持部材には、前記移動部位において、前記液体収容体に注入された前記液体に関する情報が記憶可能な記憶部が着脱可能である記憶部保持部材が備えられている、  請求項１２に記載の液体収容容器。
【請求項１４】
請求項１２または請求項１３に記載の液体収容容器であって、
前記注入口を被覆または開放可能な被覆体を備える液体収容容器。
【請求項１５】
請求項１２から請求項１４の何れか一項に記載の液体収容容器であって、
前記注入口を覆う閉蓋位置と前記注入口を露出させる開蓋位置との間で変位可能な開閉カバーを備える液体収容容器。
【請求項１６】
請求項１５に記載の液体収容容器であって、
前記開閉カバーは、前記注入口を被覆した被覆体を開閉自在に覆う液体収容容器。
【請求項１７】
請求項１２から請求項１６の何れか一項に記載の液体収容容器であって、
前記第１部位は、前記プリンターの前方に露出する液体収容容器。
【請求項１８】
請求項１２から請求項１７の何れか一項に記載の液体収容容器であって、
前記第１部位は、前記プリンターの長手方向である左右方向の一端側に配置される液体収容容器。
【請求項１９】
請求項１２から請求項１８の何れか一項に記載の液体収容容器であって、
前記第１部位は、設定操作や入力操作を行う操作パネルの下部に配置される液体収容容器。
【請求項２０】
請求項１２から請求項１９の何れか一項に記載の液体収容容器であって、
前記注入口の少なくとも一部は、前記液体噴射ヘッドの位置よりも低い位置に配置される液体収容容器。
【請求項２１】
プリンターの液体噴射ヘッドへ供給する当該液体を収容するとともに、前記プリンターとは別体で形成された液体収容体を備え、当該液体収容体に前記液体を注入するための注入口が設けられている液体収容容器であって、
前記液体収容体は、
上枠と下枠とを有する前記プリンターの装着部に装着された状態において、前記装着部外に位置する第１部位と前記装着部内に位置する第２部位とを有し、
前記注入口は前記第１部位に形成されていることを特徴とする液体収容容器。
【請求項２２】
前記液体収容体に対して摺動可能であって、摺動に伴い前記プリンター内と前記プリンター外とを移動する移動部位を有する副保持部材を備え、
前記副保持部材には、前記移動部位において、前記液体収容体に注入された前記液体に関する情報が記憶可能な記憶部が着脱可能である記憶部保持部材が備えられている、  請求項２１に記載の液体収容容器。
【請求項２３】
請求項２１または請求項２２に記載の液体収容容器であって、
前記注入口を被覆または開放可能な被覆体を備える液体収容容器。
【請求項２４】
請求項２１から請求項２３の何れか一項に記載の液体収容容器であって、
前記注入口を覆う閉蓋位置と前記注入口を露出させる開蓋位置との間で変位可能な開閉カバーを備える液体収容容器。
【請求項２５】
請求項２４に記載の液体収容容器であって、
前記開閉カバーは、前記注入口を被覆した被覆体を開閉自在に覆う液体収容容器。
【請求項２６】
請求項２１から請求項２５の何れか一項に記載の液体収容容器であって、
前記第１部位は、前記プリンターの前方に露出する液体収容容器。
【請求項２７】
請求項２１から請求項２６の何れか一項に記載の液体収容容器であって、
前記第１部位は、前記プリンターの長手方向である左右方向の一端側に配置される液体収容容器。
【請求項２８】
請求項２１から請求項２７の何れか一項に記載の液体収容容器であって、
前記第１部位は、設定操作や入力操作を行う操作パネルの下部に配置される液体収容容器。
【請求項２９】
請求項２１から請求項２８の何れか一項に記載の液体収容容器であって、
前記注入口の少なくとも一部は、前記液体噴射ヘッドの位置よりも低い位置に配置される液体収容容器。
【請求項３０】
プリンターの液体噴射ヘッドへ供給する当該液体を収容するとともに、前記プリンターとは別体で形成された液体収容体を備え、当該液体収容体に前記液体を注入するための注入口が設けられている液体収容容器であって、
前記液体は前記液体収容体内に形成される液体収容室に収容され、
前記液体収容体は、
上枠と下枠とを有する前記プリンターの装着部に装着された状態において、前記装着部外に位置する第１部位と前記装着部内に位置する第２部位とを有し、
前記注入口は前記第１部位に形成され、
複数の前記注入口は、複数の前記液体収容室の並び方向と交差する交差方向に配置されることを特徴とする液体収容容器。
【請求項３１】
前記液体収容体に対して摺動可能であって、摺動に伴い前記プリンター内と前記プリンター外とを移動する移動部位を有する副保持部材を備え、
前記副保持部材には、前記移動部位において、前記液体収容体に注入された前記液体に関する情報が記憶可能な記憶部が着脱可能である記憶部保持部材が備えられている、  請求項３０に記載の液体収容容器。
【請求項３２】
請求項３０または請求項３１に記載の液体収容容器であって、
前記注入口を被覆または開放可能な被覆体を備える液体収容容器。
【請求項３３】
請求項３０から請求項３２の何れか一項に記載の液体収容容器であって、
前記注入口を覆う閉蓋位置と前記注入口を露出させる開蓋位置との間で変位可能な開閉カバーを備える液体収容容器。
【請求項３４】
請求項３３に記載の液体収容容器であって、
前記開閉カバーは、前記注入口を被覆した被覆体を開閉自在に覆う液体収容容器。
【請求項３５】
請求項３０から請求項３４の何れか一項に記載の液体収容容器であって、
前記第１部位は、前記プリンターの前方に露出する液体収容容器。
【請求項３６】
請求項３０から請求項３５の何れか一項に記載の液体収容容器であって、
前記第１部位は、前記プリンターの長手方向である左右方向の一端側に配置される液体収容容器。
【請求項３７】
請求項３０から請求項３６の何れか一項に記載の液体収容容器であって、
前記第１部位は、設定操作や入力操作を行う操作パネルの下部に配置される液体収容容器。
【請求項３８】
請求項３０から請求項３７の何れか一項に記載の液体収容容器であって、
前記注入口の少なくとも一部は、前記液体噴射ヘッドの位置よりも低い位置に配置される液体収容容器。